(57)【要約】      （修正有）【課題】木炭の製造を可能とするとともに木材の燃焼熱を水の加熱に利用して効率良く温水を得、燃焼及び温水管理が自動化された炭焼き窯式温水器を提供する。【解決手段】底部５上に、周囲に温水室４を形成する二重の窯壁２を立設して内部に燃焼室３を形成し、底部５にはロストルを被せた空気調節口８を形成し、窯壁２の上端開口部には煙突１２を設けるとともに木材投入口を形成し、窯壁２の上端開口部の煙突開口部１２ａを除く全体を密閉可能とする木材投入蓋を装着し、空気調節口８には開口面積を調節可能とする空調蓋９を設けるととともに、溢れた温水の量で空調蓋９の開閉制御する吸気量自動調節機構を備え、温水室４の上部には温水供給口１５を設けるとともに下部には水補給口１７を設け、温水室４内の温水が使用により温水供給口１５以下の水位に低下したとき設定水位Ｌまで水を自動的に供給する自動給水機構を備える。【選択図】図２
0003162446.tif 000002
【実用新案登録請求の範囲】
【請求項１】
底部上に、周囲の内部に温水室を形成する金属製円筒状の二重の窯壁を立設して該窯壁内に燃焼室を形成し、
該窯壁の底部にはロストルを被せた通気溝を形成して、該通気溝には外部に開く空気調節口を形成し、
前記窯壁の上端開口部には煙突を前記燃焼室に臨ませて設けるとともに木材投入口を形成し、前記窯壁の上端開口部の煙突開口部を除く全体を密閉可能とする木材投入蓋を装着し、
前記空気調節口には開閉して開口面積を調節可能とする空調蓋を設けるととともに、溢れた温水の量で連絡手段を介して繋がる該空調蓋の開閉制御する吸気量自動調節機構を備え、
前記温水室の上部には設定水位よりも高い位置に温水供給口を設けるとともに下部には水補給口を設け、前記温水室内の温水が使用により温水供給口以下の水位に低下したとき前記設定水位まで水を前記水補給口から自動的に供給して常時前記設定水位に保つ自動給水機構を備えたことを特徴とする炭焼き窯式温水器。
【請求項２】
請求項１記載の炭焼き窯式温水器において、煙突には煙突開閉弁を設けるととともに、吸気量自動調節機構と連絡手段を介して連動して該煙突開閉弁の開閉制御する排気量調節機構を備えたことを特徴とする炭焼き窯式温水器。
【請求項３】
請求項１又は２に記載の炭焼き窯式温水器において、自動給水機構が、温水室の底部の水補給口から送水管を介して繋がる温水室同水位タンクを前記温水室の設定水位と同じ水位が得られる高さ位置に設け、この設定水位より水位が低下すると水道の給水弁が開く浮きを設け、温水室の水が前記設定水位より低下すると自動的に前記温水室同水位タンク内に水が供給されて水補給口から温水室内に水が補給されるようにしたことを特徴とする炭焼き窯式温水器。
【請求項４】
請求項１から３のうちいずれかに記載の炭焼き窯式温水器において、自動空気調節機構が、温水室から溢れ出た水を受けて降下するオーバーフロー水待受け用タンクを連絡手段を介して空調蓋に繋ぎ、前記オーバーフロー水待受け用タンクの降下で空調蓋が開かれ、前記オーバーフロー水待受け用タンクの上昇で空調蓋が閉じられるようにしたことを特徴とする炭焼き窯式温水器。
【請求項５】
請求項１から４のうちいずれかに記載の炭焼き窯式温水器において、自動給水機構の温水室同水位タンクに設けた浮きが温水室同水位タンクの水位の低下で降下すると、非常錘の支えが外されて落下し、該非常錘の荷重で連絡手段を介して繋がる開空調蓋と煙突開閉とを閉鎖可能としたことを特徴とする炭焼き窯式温水器。
【請求項６】
請求項１から５のうちいずれかに記載の炭焼き窯式温水器において、傾斜させた煙突の中間部位に冷却部を設けて、該冷却部の下流側に排液弁を介して排液口を設けた木酢液抽出機構を備えたことを特徴とする炭焼き窯式温水器。
【考案の詳細な説明】
【技術分野】
【０００１】
本発明は、炭焼き窯で木材を燃焼させて、窯と一体的に設けた温水室に水を供給して温水を得るとともに木炭の製造を可能とする炭焼き窯式温水器に関する。
【背景技術】
【０００２】
木炭を製造するための周囲を二重構造の外釜を形成した下記特許文献１の「炭焼き装置」の提案がある。この装置では排煙から木酢液も得られるようになっている。しかし、その外釜は発生した熱利用して温水を得るものではなく、排煙の再燃焼で排煙浄化と燃料消費の節減を図ろうとしたものである。このため、木材の燃焼熱で温水を効果的に得ることができない。
また、周囲を二重構造の水室に形成した窯内で、燃料の木材を燃焼させて水室を加熱して温水を得ようとする下記特許文献２の「木質燃料用温水炉」が提案されている。
この炉では燃焼室内で木材を燃焼させて得た熱エネルギーで直接的に効率良く水室を加熱して効率良く温水が得られる。
【先行技術文献】
【特許文献】
【０００３】
【特許文献１】特開２００５−８７９６号公報
【特許文献２】登録実用新案第３１４８６６３号公報
【考案の概要】
【考案が解決しようとする課題】
【０００４】
しかしながら、上記特許文献２の技術では最適な火力とするための空気調節や加熱されて得た温水を使用した量だけ常時自動的に補給できる手段がなく、温水を利用し易くなっておらず、さらに排煙から木酢液を得ることもできない。
そこで、本発明は、炭焼き窯の燃焼室へ送り込まれる空気の量を自動的に制御して、木炭を製造可能とするとともに、周囲が二重構造の温水室を備えることによって木炭の製造過程で発生する燃焼熱を水の加熱に効率良く利用して常時温水が得られるようにし、その温水の管理では手間のかからないように自動化でき、併せて発生する排煙から木酢液を得ることが可能となる炭焼き窯式温水器を提供することを目的とする。
【課題を解決するための手段】
【０００５】
上記の目的を達成するために、本考案の炭焼き窯式温水器は、請求項１の考案においては、底部上に、周囲の内部に温水室を形成する金属製円筒状の二重の窯壁を立設して該窯壁内に燃焼室を形成し、該窯壁の底部にはロストルを被せた通気溝を形成して、該通気溝には外部に開く空気調節口を形成し、前記窯壁の上端開口部には煙突を前記燃焼室に臨ませて設けるとともに木材投入口を形成し、前記窯壁の上端開口部の煙突開口部を除く全体を密閉可能とする木材投入蓋を装着し、前記空気調節口には開閉して開口面積を調節可能とする空調蓋を設けるととともに、溢れた温水の量で連絡手段を介して繋がる該空調蓋の開閉制御する吸気量自動調節機構を備え、前記温水室の上部には設定水位よりも高い位置に温水供給口を設けるとともに下部には水補給口を設け、前記温水室内の温水が使用により温水供給口以下の水位に低下したとき前記設定水位まで水を前記水補給口から自動的に供給して常時前記設定水位に保つ自動給水機構を備えたことを特徴とする。
【０００６】
請求項２の考案においては、上記考案において、前記煙突には煙突開閉弁を設けるととともに、吸気量自動調節機構と連絡手段を介して連動して該煙突開閉弁の開閉制御する排気量調節機構を備えたことを特徴とする。
【０００７】
請求項３の考案においては、上記各考案において、前記自動給水機構が、温水室の底部の水補給口から送水管を介して繋がる温水室同水位タンクを前記温水室の設定水位と同じ水位が得られる高さ位置に設け、この設定水位より水位が低下すると水道の給水弁が開く浮きを設け、温水室の水が前記設定水位より低下すると自動的に前記温水室同水位タンク内に水が供給されて水補給口から温水室内に水が補給されるようにしたことを特徴とする。
【０００８】
請求項４の考案においては、上記各考案において、前記自動空気調節機構が、温水室から溢れ出た水を受けて降下するオーバーフロー水待受け用タンクを連絡手段を介して空調蓋に繋ぎ、前記オーバーフロー水待受け用タンクの降下で空調蓋が開かれ、前記オーバーフロー水待受け用タンクの上昇で空調蓋が閉じられるようにしたことを特徴とする。
【０００９】
請求項５の考案においては、上記各考案において、前記自動給水機構の温水室同水位タンクに設けた浮きが温水室同水位タンクの水位の低下で降下すると、非常錘の支えが外されて落下し、該非常錘の荷重で連絡手段を介して繋がる開空調蓋と煙突開閉とを閉鎖可能としたことを特徴とする。
【００１０】
請求項６の考案においては、上記各考案において、木酢液抽出機構を、傾斜させた煙突の中間部位に冷却部を設けて、該冷却部の下流側に排液弁を介して排液口を設けた木酢液抽出機構を備えたことを特徴とする。
【考案の効果】
【００１１】
本考案は、前記燃焼室内の炭原料の太い木材は炭化に長い時間がかかり、その間は燃焼し続けるので高い温度の温水が得られる。
木炭を得るには、煙突から出る煙の状態を観察して、白い煙が出なくなったら空調蓋を閉めると、空気が供給されなくなって木材が不完全燃焼となり木炭が得られる。
できた木炭は木材投入蓋を開けて外に搬出する。そして前記燃焼室内に新たに木材を投入して燃焼させることで継続的に温水が得られる。
また、木炭はそれ自体が燃料であるので木炭として取り出すこなく燃料として全部使用することもでき、この場合には、前記燃焼室内の木炭がなくなるまでの長時間燃焼でき、その燃焼を吸気量自動調節機構で調節しつつ効率良く燃焼させることができる。そしてその間、自動給水機構により、使用された分が自動的に補給されるので、管理には手間のかからず、いつでも温水を使用することが可能となる。
【００１２】
請求項２に記載の考案では、加熱しすぎて温水室から沸騰して溢れ出た水で前記吸気量自動調節機構と連動して前記煙突開閉弁も閉じられ燃焼室が吸気側と排気側の両側から調節制御することが可能となり、木材の燃焼を効率良く行うことが可能となる。
また煙突から出る排煙の状態を見て、強制的に燃焼室を吸気側と排気側の両側で閉鎖することで木炭を得ることが可能となる。
【００１３】
請求項３に記載の考案では、前記自動給水機構で、使用した温水の量が自動的に補給されるので常時温水が使用でき、また水の人為的補給管理が必要なくなるので手間がかからない。
【００１４】
請求項４に記載の考案では、前記自動空気調節機構で燃焼室に入る空気を自動的に調節して木材を効率良く燃焼させることが可能となる。
【００１５】
請求項５に記載の考案では、水道水の給水停止があっても、吸気側又は排気側の両側から燃焼室に入る空気を遮断して木材の燃焼を抑えるか又は停止することで温水室の空焚きの防止が可能となる。
【００１６】
請求項６に記載の考案では、煙突の排煙の中から木酢液を得ることが可能となる。
【図面の簡単な説明】
【００１７】
【図１】本考案の炭焼き窯式温水器の要部を示す縦断斜視図。
【図２】本考案の炭焼き窯式温水器の模式的縦断側面図。
【図３】水が溢れたときの炭焼き窯式温水器の模式的縦断側面図。
【図４】水が減少したときの炭焼き窯式温水器の模式的縦断側面図。
【図５】木酢液採取用の炭焼き窯式温水器の要部の模式的縦断側面図。
【考案を実施するための形態】
【００１８】
次に本考案の実施の形態を図面に示して説明する。
本考案の炭焼き窯式温水器は、図１に示すように、耐火材で均した底部５の上に、周囲の内部に温水室４を形成する金属製円筒状の二重の窯壁２を立設して該窯壁２内に燃焼室３を形成する。
前記温水室４は外壁２ｂと内壁２ａの二重の窯壁２内部に形成されその底部と上部も金属板材で中の水が漏れないように塞がれる。また、温水室４の上部には蒸気排出口４４を設け、発生した水蒸気が排出されることで温水室４内の圧力が高まらないようにする。
そして、前記底部５にはロストル７を被せた通気溝６を直径方向に長く形成して、図２に示すように、該通気溝６には外部に開く空気調節口８を形成する。そして該空気調節口８には上下に開閉して開口面積を調節可能とする空調蓋９を設ける。
【００１９】
また、図１に示すように、前記窯壁２の上端開口部の木材投入口１０を形成して、その一部に板状の煙突支持部１１を被せ、その煙突支持部１１に煙突１２を前記燃焼室３に臨設する。
そして、前記煙突支持部１１に木材投入蓋１４をヒンジ１３を介して装着し、該木材投入蓋１４で、前記木材投入口１０を塞ぎ、前記窯壁２の上端開口部の煙突開口部１２ａを除く全体を密閉可能とする。
また、木材投入蓋１４の開閉端側にはＵ字型のワイヤ固定部５０を設けて、ワイヤ５１を繋ぎ、このワイヤ５１は上部に吊った滑車などを用いて容易に前記木材投入蓋１４が開閉できるようにする。
【００２０】
また、前記温水室４の上部には設定水位Ｌよりも高い位置に温水供給口１５を設けて送水管１６に接続し、下部には水補給口１７を設けて給水管１８に接続する。
そして、前記温水供給口１５からは洗面所、風呂、キッチンなどで温水が使用できるように温水貯水タンク１９を設けて該温水貯水タンク１９から途中に温水排出弁４５を備えた温水供給管２０で洗面所、風呂、キッチンの蛇口まで配管接続しておく。
以上で、炭焼き窯１部分が形成されるが、この部分は地面に炭焼き窯１の高さの半分程の深さに穴を掘り、この穴の中に設置すると、高く持ち上げることなく前記木材投入口１０へ木材を投入し易くなる。
【００２１】
本考案では、上記炭焼き窯１部分に対して、図２に示すように、前記温水室４内の温水が使用により温水供給口１５以下の水位に低下したとき前記設定水位Ｌまで水を前記水補給口１７から自動的に供給して常時前記設定水位Ｌに保つ自動給水機構と、溢れた温水の量で連絡手段を介して繋がる該空調蓋９の開閉制御する吸気量自動調節機構とを備える。
【００２２】
前記自動給水機構は、温水室４の底部の水補給口１７から給水管１８を介して繋がる温水室同水位タンク２３を前記温水室４の設定水位Ｌと同じ水位が得られる高さ位置に設け、この設定水位Ｌより水位が低下すると水道管２６の給水弁２５が開く給水弁開閉用浮き２４を設け、温水室４の水が前記設定水位Ｌより低下すると自動的に前記温水室同水位タンク２３内に水が供給されて水補給口１７から温水室４内に水が補給されるようにする。
【００２３】
また、前記自動空気調節機構は、温水室４から溢れ出た水を受けて降下するオーバーフロー水待受け用タンク３３を連絡手段を介して空調蓋９に繋ぎ、前記オーバーフロー水待受け用タンク３３の降下で空調蓋９が開かれ、前記オーバーフロー水待受け用タンク３３の上昇で空調蓋９が閉じられるようにする。
【００２４】
さらに、煙突１２には煙突開閉弁４２を設けるととともに、前記吸気量自動調節機構と連絡手段を介して連動して該煙突開閉弁４２の開閉制御する排気量調節機構を備える。
【００２５】
また、自動給水機構の温水室同水位タンク２３に設けた非常空気供給停止用浮き２７が温水室同水位タンク２３の水位の低下で降下すると、非常錘２９の支えが外されて落下し、該非常錘２９の荷重で連絡手段を介して繋がる開空調蓋９と煙突開閉４２とを閉鎖可能とする。
【００２６】
また、図５に示すように、傾斜させた煙突１２の中間部位に水を通して冷却する冷却部４６を設けて、該冷却部４６の下流側に排液弁４７を介して排液口４８を設けた木酢液抽出機構を備えることもできる。
木材の燃焼で発生した排煙は上昇する際、前記冷却部４６により冷やされ、煙突の内側に木酢成分が結露し、下り傾斜方向に流れ落ちる。
また木酢液の他にタールも発生するが、重いタール分は流れる途中で分離して別に回収する。
発生した木酢液は排液弁４７を開いて排液口４８から排出し木酢液収納容器４９に受けて回収する。
【００２７】
次に本考案の炭焼き窯式温水器の使用方法を説明する。
まず図２に示すように、窯壁２の内部の温水室４に水を設定数位Ｌに満たしておく。
そして、ワイヤ５１を引上げて木材投入蓋１４を開け、木材投入口１０から炭原料となる木材を燃焼室３に投入し、その木材を点火する。
木材投入蓋１４を閉めて、空調蓋９を開け、木材が燃焼すると、炭焼き窯１の上では暖気が煙突から上昇する。下では空気調節口８から通気溝６を通過して燃焼室３に空気が吸入される。空気が吸入で酸素が供給され木材が激しく燃焼すると燃焼室３の周囲の窯壁２の内壁２ａが加熱され、温水室４内の水は温度が上昇して高い温度の温水となる。
【００２８】
この温水は温水貯水タンク１９に蓄えられ、温水供給管２０の温水排出弁４５を開けてそこから配管接続先の洗面所、風呂、キッチンなどで使用される。
使用で温水貯水タンク１９内の温水が設定数位Ｌより低下すると、温水供給口１５に掛かる温水室４内の温水の水位が低下し、温水室４底部から給水管１８を介して繋がる温水室同水位タンク２３の水位が低下し、前記給水弁開閉用浮き２４が下がり水道管２６の給水弁２５が開かれ、自動的に前記温水室同水位タンク２３内に水が供給されるので、温水室４内に水が設定数位Ｌになるまで補給され、温水室４内の温水が設定数位Ｌに達したら温水室同水位タンク２３の浮き２４も設定数位Ｌに達するので水道管２６の給水弁２５が閉じられ給水が止まる。
このようにして常時温水が使用可能となる。
【００２９】
前記燃焼室３内の炭原料の太い木材は炭化に長い時間がかかり、その間は燃焼し続けるので温度の温水が得られる。
木炭を得るには、煙突から出る煙の状態を見て、白い煙が出なくなったら空調蓋９を閉めると、空気が供給されなくなって木材が不完全燃焼となり木炭が得られる。
できた木炭は木材投入蓋１４を開けて外に搬出する。そして前記燃焼室３内に新たに木材を投入して燃焼させることで継続的に高い温度の温水が得られる。
【００３０】
また、木炭はそれ自体が燃料であるので木炭として取り出すこなく燃料として全部使用することもできる。
この場合、前記燃焼室３内の木炭がなくなるまでの長時間燃焼を調節しつつ燃焼させることができ、その間は木材を投入せずにそのまま温水を使用することが可能となる。
本発明者の試作実験では木材の量にもよるが、一度の木材投入で１０日間以上の長時間使用可能であった。
【００３１】
また、木材が燃焼すると高い温度となって、１００°Ｃになって沸騰するが、温水は１００°Ｃ以上の温度はないので、それ以上に加熱する意味はない。このため該空調蓋９の開閉制御する吸気量自動調節機構とを備え、空気の供給を制御して火力を抑える。
この吸気量自動調節機構は、図３に示すように、前記温水貯水タンク１９内の設定数位Ｌの高さ位置にオーバーフロー排水口２１を設けてオーバーフロー排水管２２を繋ぎ、その開口端部がオーバーフロー水待受け用タンク３３内に入るようにする。
このオーバーフロー水待受け用タンク３３はワイヤ３６で吊ってあり、このワイヤ３６は天秤２８の弁開閉錘３９を設けた一方に繋げ、他方には空調蓋９を吊る。
なお、弁開閉錘３９の下には錘受け台４０を設置し、降下した弁開閉錘３９を受け止められるようにする。
【００３２】
即ち、常には、図２に示すように、オーバーフロー水待受け用タンク３３は水がないので軽く、弁開閉錘３９の荷重が勝って他方が空調蓋９を吊り上げられ、この空調蓋９は開かれている。しかし、温水室４内の水の沸騰で気泡が発生すると、その分水位が上がって温水が前記温水貯水タンク１９内に溢れ出し、その温水が該温水貯水タンク１９内から溢れ、オーバーフロー排水管２２を通過してオーバーフロー水待受け用タンク３３内に溜まる。そして溜まった水でオーバーフロー水待受け用タンク３３が前記弁開閉錘３９よりも重たくなると、図３に示すように、空調蓋９が降下し空気調節口８が塞がれる。
このように、加熱しすぎると温水室４から溢れ出た水で空調蓋９に繋ぎ、前記オーバーフロー水待受け用タンク３３の降下で空調蓋９が開かれるようになる。
【００３３】
そして、オーバーフロー水待受け用タンク３３の底には押開き型排水口３４が設けられ、  オーバーフロー水待受け用タンク３３の下方には排水口押し開き突起３５が上に突出して設けられる。
これは、オーバーフロー水待受け用タンク３３が降下し最下部に到達したときに、オーバーフロー水待受け用タンク３３中の水を排出させるためのものである。
そして、オーバーフロー水待受け用タンク３３が降下し最下部に到達したときに前記排水口押し開き突起３５がオーバーフロー水待受け用タンク３３の押開き型排水口３４に当たって押開かれて中の水が漏れるように排出され、オーバーフロー水待受け用タンク３３が軽くなり、前記弁開閉錘３９の重さで空調蓋９が上げられ空気調節口８が開かれる。
空気調節口８が開かれるとまた燃焼室３に空気が供給され木材の燃焼が大きくなる。
【００３４】
また、図３に示すように、前記煙突１２に煙突開閉弁４２を設けるととともに、吸気量自動調節機構と連絡手段を介して連動して該煙突開閉弁４２の開閉制御する排気量調節機構を備えることが可能である。
これは、上記吸気量自動調節機構が前記温水貯水タンク１９内の設定数位Ｌの高さ位置にオーバーフロー排水口２１を設けてオーバーフロー排水管２２を繋ぎ、その開口端部がオーバーフロー水待受け用タンク３３内に入るようになっており、このオーバーフロー水待受け用タンク３３は別のワイヤ３７で吊ってあり、このワイヤ３７は煙突開閉部４１に導き、その中の煙突開閉弁４２を開閉操作する開閉弁操作杆４３に繋げてある。
この開閉弁操作杆４３には錘（図省略）を付けて錘の荷重で下ろし、前記ワイヤ３７を引いて上げるようにするとも可能である。
【００３５】
上記上記吸気量自動調節機構と同様にオーバーフロー水待受け用タンク３３は水がないので軽いので弁開閉錘３９の荷重が勝って他方が空調蓋９を吊り上げ、空調蓋９が開かれている。しかし、温水室４内の水の沸騰で気泡が発生する分水位が上がって温水が前記温水貯水タンク１９内に溢れ出すと、その温水が該温水貯水タンク１９内から溢れ、オーバーフロー排水管２２を通過してオーバーフロー水待受け用タンク３３内に溜まる。この溜まった水でオーバーフロー水待受け用タンク３３が前記弁開閉錘３９よりも重たくなると空調蓋９が降下し空気調節口８を塞ぐが、同時にワイヤ３７を引いて開閉弁操作杆４３が上がり煙突開閉弁４２が閉じられる。
このように、加熱しすぎると温水室４から溢れ出た水で前記空調蓋９が閉じられるとともに前記煙突開閉弁４２も閉じられ、燃焼室３が吸気側と、排気側の両側から調節制御される。
【００３６】
また、図４に示すように、自動給水機構の温水室同水位タンク２３に設けた非常空気供給停止用浮き２７が温水室同水位タンク２３の水位の低下で降下すると、非常空気供給停止用浮き２７とはチェーン２８を介して非常用錘吊下げ部３２で吊られた非常錘２９を吊ったチェーン３０のチェーン支持部３１が外されて非常錘２９が落下し、該非常錘２９の荷重で前記空調蓋９に繋がるワイヤ３６又は前記煙突開閉弁４２繋がるワイヤ３７を前記非常用錘吊下げ部３２が引いて前記開空調蓋９と煙突開閉４２とで閉鎖可能となるものである。
これは、水道からの給水が事故などで止まった場合の安全対策として設けるもので、温水室同水位タンク２３に給水できなくなり設定水位Ｌから温水室同水位タンク２３の水位が過度に低下し水道管２６の給水弁２５を開く給水弁開閉用浮き２４が下がたにもかかわらず水道管２６から水が供給でききないようになったきに前記開空調蓋９と煙突開閉４２とを閉鎖可能とし、燃焼を抑え、空焚きを避けることが可能となる。
【００３７】
本考案は、以上の如く温水の使用による水の自動供給機能、及び木材燃焼火力の調節機能、木炭の製造機能を備えた安全に自動的な連続運転が可能となる炭焼き窯式温水器を実現することができた。
【産業上の利用可能性】
【００３８】
本考案は、木炭の製造過程で発生する燃焼熱を水の加熱に利用して効率良く温水を得るものであるが、木炭は製造せずに全て木材を燃焼させる温水器として使用することも可能である。
【符号の説明】
【００３９】
１    炭焼き窯
２    側壁
２ａ  外壁
２ｂ  内壁
３    燃焼室
４    温水室
５    底部
６    通気溝
７    ロストル
８    空気調節口
９    空調蓋
１０    木材投入口
１１    煙突支持部
１２    煙突
１２ａ  煙突開口部
１３    ヒンジ
１４    木材投入蓋
１５    温水供給口
１６    送水管
１７    水補給口
１８    給水管
１９    温水貯水タンク
２０    温水供給管
２１    オーバーフロー排水口
２２    オーバーフロー排水管
２３    温水室同水位タンク
２４    給水弁開閉用浮き
２５    給水弁
２６    水道管
２７    非常空気供給停止用浮き
２８    チェーン
２９    非常用錘
３０    チェーン
３１    チェーン支持部
３２    非常用錘吊下げ部
３３    オーバーフロー水待受け用タンク
３４    押開き型排水口
３５    排水口押し開き突起
３６    ワイヤ
３７    ワイヤ
３８    天秤
３９    弁開閉錘
４０    錘受け台
４１    煙突開閉部
４２    煙突開閉弁
４３    開閉弁操作杆
４４    蒸気排出孔
４５    温水排出弁
４６    冷却部
４７    排液弁
４８    排液口
４９    木酢液収納容器
５０    ワイヤ固定部
５１    ワイヤ
Ｌ      設定水位
【図１】
0003162446.tif 000003
【図２】
0003162446.tif 000004
【図３】
0003162446.tif 000005
【図４】
0003162446.tif 000006
【図５】
0003162446.tif 000007